(57)【要約】【課題】第１シールが固定部から剥がれることを抑制できる現像装置を提供すること。【解決手段】現像カートリッジ１に、トナーを収容する筐体２と、中心軸線Ａについて回転する現像ローラ４と、現像ローラ４の周面と左右方向に沿って接触するロアフィルム８４と、ロアフィルム８４を筐体２と挟むことにより支持するギアカバー９５とを備える。筐体２は、ロアフィルム８４を固定する貼付部４０を有し、ギアカバー９５は、ロアフィルム８４の後方部分９０と当接する第１延長部１１５を有する。そして、貼付部４０の第２貼付面７７の後端縁８１およびロアフィルム８４の後端部８０のそれぞれを、第１延長部１１５よりも、傾斜方向Ｘの下流に位置させる。【選択図】図５
2015011230.tif 000002
【特許請求の範囲】
【請求項１】
内部に現像剤を収容するように構成される筐体と、
第１方向に延びる回転軸線について回転するように構成される現像ローラと、
前記第１方向に沿って延びており、前記現像ローラの周面と前記第１方向に沿って接触するように配置される第１シールと、
前記第１シールを前記筐体と挟むことにより支持する支持部材と、を備え、
前記筐体は、
前記第１シールを固定するための固定部を有し、
前記第１シールは、
前記固定部に固定される第１端部と、
前記第１端部と反対の端部であり、前記現像ローラの周面と接触する第２端部とを有し、
前記支持部材は、
前記第１方向に沿って延びており、前記第１端部と当接するように、前記第１端部に対して前記固定部と反対に位置する第１延長部を有し、
前記第２端部から前記第１端部に向かう第２方向において、前記固定部および前記第１シールのそれぞれの前記第２方向の下流端部は、前記第１延長部よりも、前記第２方向の下流に位置していることを特徴とする、現像装置。
【請求項２】
前記第１延長部は、前記第１端部の前記第１方向の端部と当接していることを特徴とする、請求項１に記載の現像装置。
【請求項３】
前記現像ローラは、前記回転軸線を中心とする回転軸を有し、
前記支持部材は、
前記回転軸を支持する軸支持部を有していることを特徴とする、請求項１または２に記載の現像装置。
【請求項４】
前記支持部材は、
前記筐体に組み付けられるときに、前記支持部材の装着を案内するように構成される案内部を有していることを特徴とする、請求項１〜３のいずれか一項に記載の現像装置。
【請求項５】
前記筐体と、前記現像ローラの前記第１方向の端部の周面との間に配置される第２シールを備え、
前記第１シールの前記第１方向の端部の少なくとも一部が、前記第２シール上に固定されていることを特徴とする、請求項１〜４のいずれか一項に記載の現像装置。
【請求項６】
前記支持部材は、
前記固定部に対して前記第１延長部の反対に位置し、前記固定部および前記第１シールを前記第１延長部とともに挟む第２延長部を備えていることを特徴とする、請求項１〜５のいずれか一項に記載の現像装置。
【発明の詳細な説明】
【技術分野】
【０００１】
本発明は、電子写真方式が採用される画像形成装置に装備される現像装置に関する。
【背景技術】
【０００２】
従来より、電子写真方式のプリンタに着脱可能に装着される現像カートリッジが知られている。現像カートリッジは、トナーを収容する筐体と、筐体に回転可能に支持される現像ローラと、筐体と現像ローラとの間からのトナーの漏れを抑制するためのロアフィルムとを備えている。
【０００３】
このような現像カートリッジとして、例えば、筐体が、開口部を有し、現像ローラが、開口部から露出するように配置され、ロアフィルムが、開口部の縁部と現像ローラとの間に配置され、開口部の縁部に両面テープにより貼着される現像カートリッジが提案されている（例えば、特許文献１参照）。
【０００４】
そして、そのような現像カートリッジでは、ロアフィルムが、現像ローラと開口部の縁部との間の隙間を塞いで、その隙間からのトナーの漏れを抑制する。
【先行技術文献】
【特許文献】
【０００５】
【特許文献１】特開２００６−３１７６２３号公報
【発明の概要】
【発明が解決しようとする課題】
【０００６】
しかるに、近年、現像カートリッジの長寿命化がますます望まれている。しかし、特許文献１に記載の現像カートリッジでは、使用期間の長期化に伴って、両面テープが劣化し、ロアフィルムが開口部の縁部から剥がれてしまう場合がある。
【０００７】
そこで、本発明の目的は、第１シールが固定部から剥がれることを抑制できる現像装置を提供することにある。
【課題を解決するための手段】
【０００８】
（１）上記目的を達成するために、本発明の現像装置は、内部に現像剤を収容するように構成される筐体と、第１方向に延びる回転軸線について回転するように構成される現像ローラと、第１方向に沿って延びており、現像ローラの周面と第１方向に沿って接触するように配置される第１シールと、第１シールを筐体と挟むことにより支持する支持部材と、を備えている。
【０００９】
筐体は、第１シールを固定するための固定部を有している。第１シールは、固定部に固定される第１端部と、第１端部と反対の端部であり、現像ローラの周面と接触する第２端部とを有している。
【００１０】
支持部材は、第１方向に沿って延びており、第１端部と当接するように、第１端部に対して固定部と反対に位置する第１延長部を有している。第２端部から第１端部に向かう第２方向において、固定部および第１シールのそれぞれの第２方向の下流端部は、第１延長部よりも、第２方向の下流に位置している。
【００１１】
このような構成によれば、第１シールの第１端部が固定部に固定され、固定部と第１延長部とが第１端部を挟むので、第１シールの第１端部が、固定部から剥がれることを抑制できる。
【００１２】
また、固定部および第１シールのそれぞれの第２方向の下流端部が、第１延長部よりも、第２方向の下流に位置しているので、第１延長部は、固定部との間において、第１シールを確実に挟むことができる。
【００１３】
従って、例え、長寿命化を図った場合であっても、長期にわたって、第１シールが固定部から剥がれることを抑制できる。
（２）また、第１延長部は、第１端部の第１方向の端部と当接していてもよい。
【００１４】
しかるに、第１シールの第１端部の第１方向の端部は、第１端部のその他の部分と比較して、固定部から剥がれやすい。
【００１５】
しかし、上記の構成によれば、第１延長部が、第１端部の第１方向の端部と当接しており、固定部との間において、第１端部の第１方向の端部を確実に挟むことができる。
【００１６】
そのため、第１端部の第１方向の端部が、固定部から剥がれることを抑制できる。
（３）また、現像ローラは、回転軸線を中心とする回転軸を有していてもよい。この場合、支持部材は、回転軸を支持する軸支持部を有している。
【００１７】
このような構成によれば、支持部材は、回転軸を支持する軸支持部と、固定部と第１端部を挟む第１延長部との両方を有している。そのため、軸支持部と、第１延長部とのそれぞれが別部材として備えられる場合と比較して、部品点数の低減を図ることができる。
（４）また、支持部材は、筐体に組み付けられるときに、支持部材の装着を案内するように構成される案内部を有していてもよい。
【００１８】
このような構成によれば、支持部材が筐体に組み付けられるときに、案内部が支持部材の装着を案内する。そのため、支持部材の筐体に対する組み付け作業の円滑化を図ることができる。
（５）また、筐体と、現像ローラの第１方向の端部の周面との間に配置される第２シールを備えていてもよい。この場合、第１シールの第１方向の端部の少なくとも一部が、第２シール上に固定されている。
【００１９】
このような構成によれば、第２シールが、筐体と現像ローラの第１方向の端部の周面との間に配置され、第１シールの第１方向の端部の少なくとも一部が、第２シール上に固定されている。つまり、第１シールの第１方向の端部の少なくとも一部は、第２シールと現像ローラの第１方向の端部の周面との間に挟まれている。
【００２０】
そのため、第２シール、および、第１シールの第１方向の端部の少なくとも一部が、筐体と現像ローラの第１方向の端部の周面との間からの現像剤の漏れを確実に抑制できる。
【００２１】
しかるに、第１シールの第１方向の端部の少なくとも一部を、第２シール上に固定すると、第２シールにより、第１シールの第１端部に固定部から離れる方向に力が作用する場合がある。
【００２２】
しかし、上記の構成によれば、固定部と第１延長部とが、第１シールの第１端部を挟むので、第１シールの第１端部に固定部から離れる方向に力が作用しても、第１端部が固定部から剥がれることを抑制できる。
【００２３】
そのため、筐体と現像ローラの第１方向の端部の周面との間からの現像剤の漏れを確実に抑制できながら、第１シールの第１端部が固定部から剥がれることを抑制できる。
（６）また、支持部材は、固定部に対して第１延長部の反対に位置し、固定部および第１シールを第１延長部とともに挟む第２延長部を備えていてもよい。
【００２４】
このような構成によれば、第１延長部と第２延長部とが、固定部および第１シールを挟むので、固定部に対する支持部材の相対的な位置精度の向上を図ることができ、ひいては、固定部に固定される第１シールの第１端部と、第１延長部との相対的な位置精度の向上を図ることができる。
【００２５】
そのため、第１延長部と固定部とが、第１シールの第１端部を確実に挟むことができ、第１シールの第１端部が、固定部から剥がれることをより一層確実に抑制できる。
【発明の効果】
【００２６】
本発明の現像装置によれば、第１シールが固定部から剥がれることを抑制できる。
【図面の簡単な説明】
【００２７】
【図１】図１Ａは、本発明の現像装置の一実施形態としての現像カートリッジを左後から見た斜視図である。図１Ｂは、図１Ａに示す駆動ユニットを左後から見た分解斜視図である。
【図２】図２は、図１に示す現像カートリッジが装着される画像形成装置の中央断面図である。
【図３】図３Ａは、図１Ａに示す現像カートリッジの右方部分を右後から見た斜視図である。図３Ｂは、図３Ａに示す給電ユニットを右後から見た分解斜視図である。
【図４】図４Ａは、図１Ａに示す現像カートリッジを左後から見た斜視図であって、現像ローラを除いた状態を示す。図４Ｂは、図４Ａに示すサイドシールおよびロアフィルムの左端部の拡大図である。
【図５】図５Ａは、現像ローラ本体の左端部および左方のサイドシールの側断面図である。図５Ｂは、現像ローラ本体の右端部および右方のサイドシールの側断面図である。
【図６】図６Ａは、図１Ｂに示すギアカバーを右前から見た斜視図である。図６Ｂは、図３Ｂに示す現像電極ユニットを左後から見た斜視図である。
【図７】図７Ａは、図６Ｂに示す現像電極ユニットを右下から見た斜視図である。図７Ｂは、図３Ｂに示す供給電極を左後から見た斜視図である。図７Ｃは、図７Ａに示す軸受部材および現像電極を右後から見た斜視図である。
【図８】図８Ａは、図３Ｂに示す供給電極が右側壁に組みついた状態の右側面図である。図８Ｂは、図８Ａに示す右側壁の右側面図である。
【図９】図９Ａは、図３Ａに示す給電ユニットが右側壁に組みついた状態の右側面図である。図９Ｂは、図９Ａに示すＡ−Ａ断面図である。
【図１０】図１０Ａは、図９Ａに示すＢ−Ｂ断面図である。図１０Ｂは、図９Ａに示すＣ−Ｃ断面図である。
【発明を実施するための形態】
【００２８】
１．現像カートリッジの概略
現像装置の一例としての現像カートリッジ１は、図１Ａおよび図２に示すように、筐体２と、現像ローラ４と、供給ローラ５と、層厚規制ブレード６とを備えている。
【００２９】
なお、以下の説明において、現像ローラ４が配置されている方を、現像カートリッジ１の後方とし、その反対を現像カートリッジ１の前方とする。また、現像カートリッジ１を前方から見たときを基準として左右を規定する。具体的には、現像カートリッジ１の方向に関し、各図に示した矢印方向を基準とする。なお、左右方向が第１方向の一例である。また、左右方向の内方は、左右方向において現像カートリッジ１の中央に向かう方向であり、左右方向の外方は、左右方向において現像カートリッジ１の中央から離れる方向である。
【００３０】
筐体２は、図１Ａに示すように、左右方向に延びる略ボックス状であり、筐体２の後端部は、前後方向に開放されている。また、筐体２は、その内部において、現像剤の一例としてのトナーを収容している。
【００３１】
現像ローラ４は、筐体２の後端部に配置されている。また、現像ローラ４の上方部分および後方部分は、筐体２から露出している。そして、現像ローラ４は、筐体２に回転可能に支持されている。
【００３２】
供給ローラ５は、図２に示すように、現像ローラ４の前下方に配置されている。また、供給ローラ５の後上端部が、現像ローラ４の前下端部に圧接している。そして、供給ローラ５は、筐体２に回転可能に支持されている。
【００３３】
層厚規制ブレード６は、現像ローラ４の前上方に配置されている。また、層厚規制ブレード６は、側面視において上下方向に延びている。そして、層厚規制ブレード６は、層厚規制ブレード６の下端部が、現像ローラ４の前上端部に接触するように、筐体２に支持されている。
２．プリンタの全体構成
プリンタ１５は、電子写真方式のモノクロプリンタである。プリンタ１５は、本体ケーシング１６と、プロセスカートリッジ１７と、スキャナユニット１８と、定着ユニット１９とを備えている。
【００３４】
本体ケーシング１６は、略ボックス形状である。また、本体ケーシング１６は、開口部２０と、フロントカバー２１と、給紙トレイ２２と、排紙トレイ２３とを有している。
【００３５】
開口部２０は、本体ケーシング１６の前壁を前後方向に貫通し、プロセスカートリッジ１７の通過を許容するように構成されている。フロントカバー２１は、側面視略Ｌ字状の板状である。フロントカバー２１は、その下端部を支点として本体ケーシング１６の前壁に揺動可能に支持されている。フロントカバー２１は、開口部２０を開放または閉鎖するように構成されている。
【００３６】
給紙トレイ２２は、本体ケーシング１６の底部に配置されている。給紙トレイ２２は、用紙Ｐを収容するように構成されている。排紙トレイ２３は、本体ケーシング１６の上面に配置されている。
【００３７】
プロセスカートリッジ１７は、開口部２０を介して、本体ケーシング１６に対して装着または離脱するように構成されている。プロセスカートリッジ１７は、ドラムカートリッジ２４と、上記の現像カートリッジ１とを備えている。
【００３８】
ドラムカートリッジ２４は、感光ドラム２５と、スコロトロン型帯電器２６と、転写ローラ２７とを備えている。
【００３９】
感光ドラム２５は、ドラムカートリッジ２４の後端部に配置されており、左右方向に延びる略円筒形状である。そして、感光ドラム２５は、ドラムカートリッジ２４のフレームに回転可能に支持されている。
【００４０】
スコロトロン型帯電器２６は、感光ドラム２５の後方において、感光ドラム２５と間隔を空けて配置されている。転写ローラ２７は、感光ドラム２５の下方に配置されている。転写ローラ２７は、感光ドラム２５の下端部と接触している。
【００４１】
現像カートリッジ１は、ドラムカートリッジ２４に対して装着または離脱するように構成されている。また、現像カートリッジ１がドラムカートリッジ２４に装着された状態において、現像ローラ４の後端部が感光ドラム２５の前端部に接触する。
【００４２】
スキャナユニット１８は、プロセスカートリッジ１７の上方に配置されている。スキャナユニット１８は、図２に点線で示すように、感光ドラム２５に向けて画像データに基づくレーザービームを出射するように構成されている。
【００４３】
定着ユニット１９は、プロセスカートリッジ１７の後方に配置されている。定着ユニット１９は、加熱ローラ２８と、加圧ローラ２９とを備えている。加圧ローラ２９は、加熱ローラ２８に対して後下方に配置されており、加熱ローラ２８の後下端部に圧接している。
【００４４】
そして、プリンタ１５が、図示しない制御部の制御により、画像形成動作を開始すると、スコロトロン型帯電器２６が、感光ドラム２５の表面を一様に帯電する。その後、スキャナユニット１８が、感光ドラム２５の表面を露光する。これにより、画像データに基づく静電潜像が、感光ドラム２５の表面に形成される。
【００４５】
また、供給ローラ５は、筐体２内のトナーを現像ローラ４に供給する。これによって、トナーは、現像ローラ４と供給ローラ５との間で正極性に摩擦帯電され、現像ローラ４上に担持される。層厚規制ブレード６は、現像ローラ４上に担持されたトナーを一定の厚さに規制する。
【００４６】
そして、現像ローラ４は、一定の厚みに規制されたトナーを、感光ドラム２５の表面上の静電潜像に供給する。これにより、トナー像が、感光ドラム２５の表面上に担持される。
【００４７】
用紙Ｐは、給紙トレイ２２から、各種ローラの回転により、所定のタイミングで１枚ずつ、感光ドラム２５と転写ローラ２７との間に給紙される。感光ドラム２５上のトナー像は、感光ドラム２５と転写ローラ２７との間を通過するときに、用紙Ｐに転写される。
【００４８】
その後、加熱ローラ２８および加圧ローラ２９は、それらの間を通過する用紙Ｐを、加熱および加圧する。これによって、用紙Ｐ上のトナー像は、用紙Ｐに熱定着される。その後、用紙Ｐは、排紙トレイ２３に排紙される。
３．現像カートリッジの詳細
（１）筐体
現像カートリッジ１は、図１Ａおよび図２に示すように、上記の筐体２を備えている。
【００４９】
筐体２は、詳しくは、左側壁３４と、右側壁３５と、下壁３７と、前壁３６と、上壁３８とを備えている。
【００５０】
左側壁３４および右側壁３５は、図１Ａに示すように、筐体２の左右両端部のそれぞれに配置されている。左側壁３４および右側壁３５のそれぞれは、側面視矩形の板状であり、前後方向に延びている。
【００５１】
また、左側壁３４および右側壁３５のそれぞれは、図４Ｂおよび図８Ｂに示すように、現像ローラ軸挿通溝４２と、供給ローラ軸挿通穴４３とを有している。
【００５２】
現像ローラ軸挿通溝４２は、左側壁３４および右側壁３５のそれぞれの後端部の上下方向略中央部分に配置されている。現像ローラ軸挿通溝４２は、後方に向かって開放される側面視略Ｃ字状であり、左側壁３４および右側壁３５のそれぞれの後端縁から前方に向かって凹んでいる。現像ローラ軸挿通溝４２の内径は、後述する現像ローラ軸１１の直径よりも長い。
【００５３】
供給ローラ軸挿通穴４３は、図８Ｂに示すように、現像ローラ軸挿通溝４２の前下方に配置されている。供給ローラ軸挿通穴４３は、側面視略矩形状であり、左側壁３４および右側壁３５のそれぞれを左右方向に貫通している。供給ローラ軸挿通穴４３の内寸は、後述する供給ローラ軸１３の直径よりも長い。
【００５４】
なお、右側壁３５の現像ローラ軸挿通溝４２および供給ローラ軸挿通穴４３は、右側壁３５における現像ローラ軸挿通溝４２と供給ローラ軸挿通穴４３との間の部分が切り欠かれており、前下方と後上方とを結ぶ方向に連通されている。
【００５５】
また、左側壁３４は、図４Ｂに示すように、円柱部４４を有している。
【００５６】
円柱部４４は、左側壁３４の左面における後下端部に配置されており、現像ローラ軸挿通溝４２の下方かつ供給ローラ軸挿通穴４３の後方に配置されている。円柱部４４は、左右方向に延びる略円柱形状であり、左側壁３４の左面から左方に向かって突出している。
【００５７】
また、右側壁３５は、図８Ｂに示すように、係合穴５０と、複数の位置決め突起５１と、電極支持軸５２と、複数のガイド突起５７と、供給電極ガイド部５３とを一体に有している。
【００５８】
係合穴５０は、右側壁３５において、現像ローラ軸挿通溝４２の上方に配置されている。係合穴５０は、前後方向に延びる側面視略矩形状であり、右側壁３５を左右方向に貫通している。
【００５９】
複数の位置決め突起５１のそれぞれは、右側壁３５の右面において、現像ローラ軸挿通溝４２の後下方と、現像ローラ軸挿通溝４２の前上方とに、１つずつ配置されている。位置決め突起５１は、左右方向に延びる略円柱形状であり、右側壁３５の右面から右方に向かって突出している。
【００６０】
電極支持軸５２は、右側壁３５の右面において、供給ローラ軸挿通穴４３の前上方に配置されている。電極支持軸５２は、左右方向に延びる略円筒形状であり、右側壁３５の右面から右方に向かって延びている。
【００６１】
複数のガイド突起５７は、右側壁３５の右面において、電極支持軸５２の後下方と、電極支持軸５２の前上方とに、１つずつ配置されている。ガイド突起５７は、左右方向に延びる略円柱形状であり、右側壁３５の右面から右方に向かって延びている。
【００６２】
供給電極ガイド部５３は、電極支持軸５２に対して上方に配置されており、板状部５４と、突条５５とを一体に有している。板状部５４は、側面視略矩形の板状であり、右側壁３５の上端縁における前後方向略中央部分から連続して、上方に向かって突出している。突条５５は、板状部５４の右面に配置されている。突条５５は、側面視において、前上方と後下方とを結ぶ方向に延びている。また、突条５５は、図１０Ａに示すように、平面視矩形状であり、板状部５４の右面の側面視中央から、右方へ向かって突出している。また、突条５５の右端面５６は、前上方へ向かうにつれて左方へ傾斜している。
【００６３】
下壁３７は、図２に示すように、筐体２の下端部に配置されている。また、下壁３７は、湾曲部分６０と、半円部分６１とを一体に有している。
【００６４】
湾曲部分６０は、側面視湾曲形状であり、その前後方向略中央が下方へ凹んでいる。また、湾曲部分６０は、左右方向に延びており、湾曲部分６０の左右両端部は、左側壁３４および右側壁３５の下端部に連続している。
【００６５】
半円部分６１は、湾曲部分６０の後方に隣接されている。半円部分６１は、上方に向かって開放される側面視略半円形状である。半円部分６１の内周面は、供給ローラ５の外周面に沿って湾曲している。そして、半円部分６１の前端部は、湾曲部分６０の後端部と連続している。また、半円部分６１は、左右方向に延びており、半円部分６１の左右両端部は、後述するシール収容部６５の左右方向の内方端部に連続している。
【００６６】
前壁３６は、筐体２の前端部に配置されている。前壁３６は、正面視略矩形の板状であり、湾曲部分６０の前端部から連続して、上方に向かって延びている。前壁３６は、左右方向に延びており、前壁３６の左右両端部は、左側壁３４および右側壁３５の前端部に連続している。
【００６７】
上壁３８は、筐体２の上端部に配置されている。上壁３８は、平面視略矩形の板状であり、前壁３６の上端部から連続して、後方に向かって延びている。上壁３８は、左右方向に延びており、上壁３８の左右両端部は、左側壁３４および右側壁３５の上端部に連続している。
【００６８】
また、筐体２は、図４Ａに示すように、シール配置部３９と、固定部の一例としての貼付部４０とを一体に有している。
【００６９】
シール配置部３９は、後述する現像ローラ本体１２の左右方向の両端部のそれぞれに対応して２つ備えられている。各シール配置部３９は、左側壁３４および右側壁３５のそれぞれに対して左右方向の内方に配置されている。シール配置部３９は、図５Ａおよび図５Ｂに示すように、シール収容部６５と、第１支持部６６と、第２支持部６７とを有している。
【００７０】
シール収容部６５は、側面視において、後上方に向かって開放される略Ｕ字状であり、供給ローラ軸挿通穴４３の周縁から左右方向の内方に向かって延びている。そして、シール収容部６５の左右方向の内方端部は、半円部分６１の左右方向の端部に接続されている。
【００７１】
また、右方のシール配置部３９における、シール収容部６５は、図８Ａおよび図８Ｂに示すように、係合突起６８を一体に有している。係合突起６８は、シール配置部３９の底壁の下面から、下方に向かって突出している。係合突起６８は、側面視において、シール配置部３９の底壁の下面に沿って、前上方と後下方とを結ぶ方向に延びている。
【００７２】
第１支持部６６は、図５Ａおよび図５Ｂに示すように、シール収容部６５の前壁の上端部から連続して、上方に向かって延びている。また、第１支持部６６は、左右方向に延びており、第１支持部６６の左右方向の外方端部は、左側壁３４および右側壁３５のそれぞれの左右方向の内方面に接続されている。
【００７３】
第２支持部６７は、シール収容部６５の後壁の上端部から連続して、後方に向かって延びている。また、第２支持部６７は、左右方向に延びており、第２支持部６７の左右方向の外方端部は、左側壁３４および右側壁３５のそれぞれの左右方向の内方面に接続されている。
【００７４】
貼付部４０は、図４Ａおよび図４Ｂに示すように、リップ部７０と、杆状部７１と、凸部７２とを備えている。
【００７５】
リップ部７０は、図２に示すように、半円部分６１の後方に配置されている。リップ部７０は、前上方と後下方とを結ぶ方向に延びる略板状であり、半円部分６１の後端部から連続して、後下方に延びている。また、リップ部７０は、図４Ａおよび図４Ｂに示すように、左右方向に延びており、その左右方向の端部は、第２支持部６７の左右方向の内方端部と連続している。また、リップ部７０の後端部は、第２支持部６７の後端部よりも後方に位置している。
【００７６】
また、リップ部７０の上下方向の寸法は、第２支持部６７の上下方向の寸法よりも大きい。そのため、リップ部７０の上面は、第２支持部６７の上面よりも上方に位置している。これによって、リップ部７０の上面と第２支持部６７の上面との間には、図示しないが、段差面が配置されている。図示しない段差面は、リップ部７０の左右方向の端面であって、リップ部７０の上面の左右方向の外方端縁と、第２支持部６７の上面とに連続している。
【００７７】
また、リップ部７０は、図４Ｂに示すように、第１貼付面７６を有している。第１貼付面７６は、リップ部７０の上面における後方部分であり、側面視において、前上方と後下方とを結ぶ方向に延びている。
【００７８】
杆状部７１は、リップ部７０の後端部における、第２支持部６７よりも後方に位置する部分に対して、左右方向の両方に隣接されている。また、各杆状部７１は、対応する第２支持部６７に対して後方に隣接されている。
【００７９】
杆状部７１は、左右方向に延びる略杆状である。また、杆状部７１の左右方向の内方端部が、リップ部７０の後端部における左右方向の端部と連続し、杆状部７１の前端部が、第２支持部６７の後端部における左右方向の内方部分と連続している。
【００８０】
また、杆状部７１は、図５Ａおよび図５Ｂに示すように、第２貼付面７７を有している。第２貼付面７７は、杆状部７１の上面であって、前上方と後下方とを結ぶ方向に延びている。第２貼付面７７と第１貼付面７６とは、図４Ｂに示すように、左右方向において連続しており、略面一である。
【００８１】
凸部７２は、第２支持部６７の上面に配置されており、杆状部７１の左右方向の外方部分に対して、前方に配置されている。
【００８２】
凸部７２は、図５Ａおよび図５Ｂに示すように、側面視略台形状であり、第２支持部６７の上面から上方に向かって突出している。また、凸部７２は、第３貼付面７８を有している。第３貼付面７８は、凸部７２の後面であって、前上方と後下方とを結ぶ方向に延びている。また、第２貼付面７７と第３貼付面７８とは、前上方と後下方とを結ぶ方向に連続しており、略面一である。つまり、第１貼付面７６、第２貼付面７７および第３貼付面７８は、略面一であり、同一の仮想平面上に位置している。
【００８３】
また、凸部７２は、図４Ｂに示すように、リップ部７０の図示しない段差面に対して、左右方向の外方に間隔を空けて配置されている。これによって、図示しない段差面と、凸部７２の左右方向の内方面と、それらの間に位置する第２支持部６７の上面とが、凹部７９を画定している。
【００８４】
凹部７９は、背面視において、上方に向かって開放される略Ｕ字状である。また、凹部７９は、平面視において、前方に向かって開放される略Ｕ字状であり、第１貼付面７６、第２貼付面７７および第３貼付面７８に囲まれている。
（１−１）トナー収容室
このような筐体２は、図２に示すように、前方部分がトナー収容室７として画定され、後方部分が現像室８として画定されている。なお、トナー収容室７と現像室８とは、前後方向に連通している。
【００８５】
詳しくは、トナー収容室７は、後方に向かって開放される略ボックス状であり、左側壁３４の前方部分、右側壁３５の前方部分、湾曲部分６０、前壁３６、および、上壁３８の前方部分により画定される。
【００８６】
トナー収容室７は、非磁性一成分の正帯電の重合トナーを収容している。また、トナー収容室７は、アジテータ３を備えている。
【００８７】
アジテータ３は、トナー収容室７の側面視略中央部分に配置されている。アジテータ３は、アジテータ軸９と、攪拌ブレード１０とを備えている。
【００８８】
アジテータ軸９は、左右方向に延びる略円柱状である。攪拌ブレード１０は、アジテータ軸９から、アジテータ軸９の径方向の外方に延びている。そして、アジテータ３は、アジテータ軸９の左右両端部が、左側壁３４および右側壁３５に回転可能に支持されることによって、筐体２に支持されている。
（１−２）現像室
現像室８は、詳しくは、左側壁３４の後方部分、右側壁３５の後方部分、半円部分６１、リップ部７０、および、上壁３８の後方部分により画定される。
【００８９】
現像室８は、図２、図４Ａおよび図５Ａに示すように、現像ローラ４と、供給ローラ５と、層厚規制ブレード６と、供給シール８２と、第２シールの一例としてのサイドシール８３と、第１シールの一例としてのロアフィルム８４とを備えている。
【００９０】
現像ローラ４は、図２に示すように、現像室８の後端部に配置されており、リップ部７０の上方に配置されている。現像ローラ４は、回転軸の一例としての現像ローラ軸１１と、現像ローラ本体１２とを備えている。現像ローラ軸１１は、金属からなり、左右方向の延びる略円柱形状である。現像ローラ軸１１の左右方向端部は、図１Ｂおよび図３Ｂに示すように、左側壁３４および右側壁３５のそれぞれの現像ローラ軸挿通溝４２に挿通されており、左側壁３４および右側壁３５のそれぞれから、左右方向の外方に突出している。
【００９１】
現像ローラ本体１２は、導電性を有するゴムからなり、左右方向に延びる略円筒形状である。現像ローラ本体１２は、現像ローラ軸１１の左右両端部を被覆せず、現像ローラ軸１１の左右方向略中央を被覆している。また、現像ローラ本体１２の上方部分および後方部分は、筐体２から露出している。また、現像ローラ本体１２の左右方向端部は、図５Ａおよび図５Ｂに示すように、シール配置部３９の後上方に配置されている。
【００９２】
供給ローラ５は、図２に示すように、半円部分６１内に配置されている。供給ローラ５は、供給ローラ軸１３と、供給ローラ本体１４とを備えている。
【００９３】
供給ローラ軸１３は、金属からなり、左右方向の延びる略円柱形状である。供給ローラ軸１３の左右方向端部は、図１Ｂおよび図３Ｂに示すように、左側壁３４および右側壁３５のそれぞれの供給ローラ軸挿通穴４３に挿通されており、左側壁３４および右側壁３５のそれぞれから、左右方向の外方に突出している。
【００９４】
供給ローラ本体１４は、導電性を有するスポンジからなり、左右方向に延びる略円筒状である。供給ローラ本体１４は、供給ローラ軸１３の左右両端部を被覆せず、供給ローラ軸１３の左右方向略中央を被覆している。また、供給ローラ本体１４の後上端部は、現像ローラ本体１２の前下端部と接触している。
【００９５】
層厚規制ブレード６は、図１Ａに示すように、上壁３８の後端部に対して後方に配置されている。層厚規制ブレード６は、弾性を有する薄い金属板からなり、左右方向に延びる背面視略矩形状である。そして、層厚規制ブレード６は、図２に示すように、層厚規制ブレード６の下端部が現像ローラ本体１２の前端部に、左右方向に沿って接触するように、上壁３８の後端部に固定されている。
【００９６】
供給シール８２は、図５Ａおよび図５Ｂに示すように、供給ローラ軸１３の左右両端部に対応して２つ備えられている。各供給シール８２は、対応するシール収容部６５内に収容されている。
【００９７】
供給シール８２は、スポンジ部材などの弾性部材からなり、左右方向に延びる略角柱状である。また、供給シール８２の後面は、側面視略円弧形状であって、現像ローラ本体１２の周面に沿っている。そして、供給シール８２の後面は、第１支持部６６の後面および第２支持部６７の上面と連続している。
【００９８】
また、供給シール８２は、軸挿通穴７３を有している。軸挿通穴７３は、供給シール８２の側面視略中央部分に配置されており、供給シール８２を左右方向に貫通している。そして、軸挿通穴７３は、供給ローラ軸１３の左右方向端部を相対回転可能に受け入れている。
【００９９】
サイドシール８３は、図４Ａおよび図４Ｂに示すように、２つのシール配置部３９のそれぞれに対応して２つ備えられている。サイドシール８３は、図５Ａおよび図５Ｂに示すように、シール配置部３９と現像ローラ本体１２の左右方向の端部における周面との間に配置されている。
【０１００】
サイドシール８３は、図４Ｂに示すように、基材８５と、接触部８６とを備えている。
【０１０１】
基材８５は、スポンジ部材やシリコーンゴム、天然ゴムなどのエラストマーなどの弾性部材からなり、シール本体８８と、突部８７とを一体に有している。
【０１０２】
シール本体８８は、上下方向に延びる略角柱形状である。突部８７は、基材８５の下端部に配置されている。突部８７は、略角柱形状であり、シール本体８８の下面における左右方向の内方端部から、下方に向かって突出している。
【０１０３】
接触部８６は、基材８５に対して後方に隣接されている。接触部８６は、カシミヤ系の繊維部材やポリテトラフルオロエチレン（ＰＴＦＥ）繊維、ポリエステル系繊維などの織物や不織布からなる。接触部８６は、背面視において、基材８５と略同じ形状およびサイズである。そして、接触部８６は、基材８５の後面に接着されている。
【０１０４】
そして、サイドシール８３は、図５Ａおよび図５Ｂに示すように、後上方に向かって開放される側面視Ｃ字状に湾曲されて、シール配置部３９に配置されている。サイドシール８３がシール配置部３９に配置された状態において、シール本体８８の前面は、第１支持部６６の後面、供給シール８２の後面および第２支持部６７の上面と直接接触しており、接触部８６の後面は、現像ローラ本体１２の左右方向の端部における周面と直接接触している。また、突部８７は、図４Ｂに示すように、凹部７９内に配置されている。
【０１０５】
ロアフィルム８４は、図２に示すように、リップ部７０の上面に配置されている。ロアフィルム８４は、図４Ａに示すように、ポリエチレンテレフタレートなどの樹脂シートからなり、左右方向に延びる平面視略矩形状である。
【０１０６】
また、ロアフィルム８４は、図４Ｂに示すように、接着層８９を有している。接着層８９は、公知の両面粘着テープなどからなる。接着層８９は、ロアフィルム８４の第１端部の一例としての後方部分９０の下面に配置されており、ロアフィルム８４の左右方向のすべてにわたって配置されている。
【０１０７】
そして、ロアフィルム８４は、図４Ａおよび図４Ｂに示すように、接着層８９が、第１貼付面７６、第２貼付面７７、第３貼付面７８および突部８７の上面に一括して貼り付けられることにより、筐体２に支持されている。つまり、ロアフィルム８４の後方部分９０は、接着層８９により、貼付部４０に固定され、ロアフィルム８４の後方部分９０の一部は、接着層８９により、突部８７の上面に固定されている。
【０１０８】
また、図５Ａおよび図５Ｂに示すように、ロアフィルム８４が貼付部４０に固定された状態において、ロアフィルム８４の後端部８０は、第２貼付面７７の後端縁８１よりも前方に位置している。つまり、ロアフィルム８４の前方部分９１から後方部分９０に向かう、第２方向の一例としての傾斜方向Ｘにおいて、ロアフィルム８４の傾斜方向Ｘの下流端部すなわち後端部８０は、第２貼付面７７の傾斜方向Ｘの下流端部すなわち後端縁８１よりも、上流に位置している。なお、傾斜方向Ｘは、より具体的には、前上方から後下方に向かう方向である。
【０１０９】
また、ロアフィルム８４の第２端部の一例としての前方部分９１は、現像ローラ本体１２の周面における下端部と左右方向に沿って接触している。また、ロアフィルム８４の前方部分９１における左右方向端部は、図４Ｂ、図５Ａおよび図５Ｂに示すように、接触部８６の下端部における左右方向の内方部分と、現像ローラ本体１２の左右方向端部における周面との間に挟まれている。
（２）駆動ユニット
また、現像カートリッジ１は、図１Ａ、図１Ｂ、図３Ａおよび図３Ｂに示すように、筐体２の左方に配置される駆動ユニット３２と、筐体２の右方に配置される給電ユニット３３とを備えている。
【０１１０】
駆動ユニット３２は、図１Ｂに示すように、軸受部材９３と、ギアトレイン９４と、支持部材の一例としてのギアカバー９５とを備えている。
【０１１１】
軸受部材９３は、側面視略矩形の板状であり、左側壁３４の左面に装着されている。軸受部材９３は、供給ローラ軸１３の左端部を回転可能に支持し、現像ローラ軸１１の左端部を回転可能に支持している。つまり、供給ローラ軸１３および現像ローラ軸１１のそれぞれの左端部は、軸受部材９３を介して、左側壁３４に相対回転可能に支持されている。
【０１１２】
また、供給ローラ軸１３の左端部および現像ローラ軸１１の左端部のそれぞれは、軸受部材９３から左方に向かって突出している。
【０１１３】
ギアトレイン９４は、現像カップリング９７と、現像ギア９８と、供給ギア９９とを備えている。
【０１１４】
現像カップリング９７は、左側壁３４の左面の後方部分に配置されている。現像カップリング９７は、図示しない軸部を中心に回転可能に支持されている。図示しない軸部は、左右方向に延び、左側壁３４に相対回転不能に固定されている。
【０１１５】
また、現像カップリング９７は、左右方向に延びる略円柱形状であり、カップリングギア部１００と、カップリング部１０１とを一体に有している。
【０１１６】
カップリングギア部１００は、現像カップリング９７の右方部分であって、その周面すべてにわたって、ギア歯を有している。
【０１１７】
カップリング部１０１は、現像カップリング９７の左方部分であって、カップリングギア部１００と中心軸線が一致する略円柱形状である。また、カップリング部１０１の外径は、カップリングギア部１００の外径よりも小さい。
【０１１８】
また、カップリング部１０１は、結合凹部１０２を有している。結合凹部１０２は、カップリング部１０１の左端面に配置されている。結合凹部１０２は、側面視略円形状であり、カップリング部１０１の左端面から右方に向かって凹んでいる。また、結合凹部１０２は、後述する本体カップリング２００が挿入された状態で、後述する本体カップリング２００と相対回転不能に係合するように構成されている。
【０１１９】
現像ギア９８は、現像カップリング９７の後方に配置されている。現像ギア９８は、左右方向に延びる略円筒形状であり、その周面のすべてにわたって、ギア歯を有している。そして、現像ギア９８は、現像ローラ軸１１の左端部に相対回転不能に取り付けられている。また、現像ギア９８の前端部は、現像カップリング９７のカップリングギア部１００の後端部に噛合している。
【０１２０】
供給ギア９９は、現像カップリング９７の後下方に配置されている。供給ギア９９は、左右方向に延びる略円筒形状であり、その周面のすべてにわたって、ギア歯を有している。そして、供給ギア９９は、供給ローラ軸１３の左端部に相対回転不能に取り付けられている。また、供給ギア９９の前上端部は、カップリングギア部１００の後下端部に噛合している。
【０１２１】
ギアカバー９５は、図１Ａに示すように、現像カップリング９７、現像ギア９８および供給ギア９９を左方から被覆している。ギアカバー９５は、図１Ｂに示すように、右方に向かって開放される略ボックス形状であり、ベースプレート１０５と、第１押さえ部１０６とを一体に有している。
【０１２２】
ベースプレート１０５は、側面視略矩形の板状であり、現像カップリング９７、現像ギア９８および供給ギア９９を一括して被覆可能なサイズを有している。
【０１２３】
ベースプレート１０５は、図６Ａに示すように、上下方向に切断したときの断面形状が、略クランク状である。詳しくは、ベースプレート１０５は、第１被覆部１０７と、段部１０８と、第２被覆部１０９とを一体に有している。
【０１２４】
第１被覆部１０７は、ベースプレート１０５の上方部分であって、側面視略矩形の板状である。第１被覆部１０７は、カップリング開口１１３と、カップリングカラー１１０と、軸支持部の一例としての現像軸挿通口１１１と、現像軸カラー１１２とを有している。
【０１２５】
カップリング開口１１３は、第１被覆部１０７の前方部分に配置されている。カップリング開口１１３は、側面視略円形状であり、第１被覆部１０７を左右方向に貫通している。カップリング開口１１３の内径は、カップリング部１０１の外径と略同じである。
【０１２６】
カップリングカラー１１０は、図１Ｂに示すように、第１被覆部１０７の左面に配置されている。カップリングカラー１１０は、図６Ａに示すように、左右方向に延びる略円筒形状であり、カップリング開口１１３の周縁から、左方に向かって突出している。
【０１２７】
現像軸挿通口１１１は、第１被覆部１０７において、カップリング開口１１３の後下方に配置されている。現像軸挿通口１１１は、側面視略円形状であり、第１被覆部１０７を左右方向に貫通している。現像軸挿通口１１１の内径は、現像ローラ軸１１の外径と略同じである。
【０１２８】
現像軸カラー１１２は、図１Ｂに示すように、第１被覆部１０７の左面に配置されている。現像軸カラー１１２は、図６Ａに示すように、左右方向に延びる略円筒形状であり、現像軸挿通口１１１の周縁から、左方に向かって延びている。また、現像軸カラー１１２の左端面は閉鎖されている。
【０１２９】
段部１０８は、前後方向に延びる平面視略矩形の板状であり、第１被覆部１０７の下端部から連続して、右方に向かって突出している。
【０１３０】
第２被覆部１０９は、前後方向に延びる側面視略矩形の板状であり、段部１０８の右端部から連続して、下方に向かって突出している。
【０１３１】
第１押さえ部１０６は、第２被覆部１０９の右面における後方部分に配置されている。第１押さえ部１０６は、係合部１１４と、第１延長部１１５と、第２延長部１１６とを一体に有している。
【０１３２】
係合部１１４は、左右方向に延びる略角筒形状であり、第２被覆部１０９の右面における後方部分から、右方に向かって延びている。また、係合部１１４の右端面は、閉鎖壁１２１により閉鎖されている。閉鎖壁１２１は、側面視略矩形状の板状である。また、閉鎖壁１２１は、挿通穴１２０を有している。挿通穴１２０は、閉鎖壁１２１の側面視略中央部分に配置されている。挿通穴１２０は、側面視略円形状であり、閉鎖壁１２１を左右方向に貫通している。挿通穴１２０の内径は、円柱部４４の外径と略同じである。
【０１３３】
第１延長部１１５および第２延長部１１６は、閉鎖壁１２１の右面に配置されている。
【０１３４】
第１延長部１１５は、左右方向に延びる背面視矩形の板状である。第１延長部１１５は、閉鎖壁１２１の右面における後端部から連続して、右方に向かって延びている。
【０１３５】
第２延長部１１６は、第１部分１１９と、第２部分１１７とを有している。
【０１３６】
第１部分１１９は、左右方向に延びる平面視矩形の板状であり、閉鎖壁１２１の右面における下端部から連続して、右方に向かって延びている。第２延長部１１６の左右方向の寸法は、第１延長部１１５の左右方向の寸法よりも短い。
【０１３７】
第２部分１１７は、第１部分１１９の後端部と、第１延長部１１５の下端部との間に配置されている。第２部分１１７は、左右方向に延びる板状であり、閉鎖壁１２１の右面における後下端部から連続して、右方に向かって延びている。第２部分１１７の左右方向の寸法は、第１部分１１９の左右方向の寸法と略同じ長さである。
【０１３８】
また、第２部分１１７は、上下方向に切断したときの断面形状が、前下方と後上方とを結んだ方向に延びている。第２部分１１７の上端部は、第１延長部１１５の下端部に連続しており、第２部分１１７の下端部は、第１部分１１９の後端部に連続している。
【０１３９】
また、第１延長部１１５および第２部分１１７は、切欠部１１８を有している。切欠部１１８は、第１延長部１１５と第２部分１１７との連続部分における右方部分に配置されている。切欠部１１８は、正面視略矩形状である。詳しくは、切欠部１１８は、第１延長部１１５の右端縁における下端部から左方に向かって、正面視略矩形状に切り欠かれるとともに、第２部分１１７の右端縁における上方部分から左方に向かって、正面視略矩形状に切り欠かれている。
【０１４０】
また、切欠部１１８の上面は、案内部の一例としての第１ガイド面１２３と、傾斜面１２６とを有しており、切欠部１１８の下面は、案内部の一例としての第２ガイド面１２４と、平坦面１２７とを有している。
【０１４１】
第１ガイド面１２３は、切欠部１１８の上面における右端部である。第１ガイド面１２３は、正面視において、右上方と左下方とを結ぶ方向に延びており、第１延長部１１５の右端縁の上下方向中央部分から、下方に向かうにつれて、左方に傾斜している。
【０１４２】
傾斜面１２６は、切欠部１１８の上面において、第１ガイド面１２３の左方に隣接している。傾斜面１２６は、図５Ａに示すように、側面視において、前上方と後下方とを結ぶ方向に延びており、杆状部７１の第２貼付面７７に沿っている。
【０１４３】
第２ガイド面１２４は、図６Ａに示すように、切欠部１１８の下面における右端部である。第２ガイド面１２４は、正面視において、左上方と右下方とを結ぶ方向に延びており、第２部分１１７の右端縁の下端部から、上方に向かうにつれて、左方に傾斜している。
【０１４４】
平坦面１２７は、切欠部１１８の下面において、第２ガイド面１２４の左方に隣接している。平坦面１２７は、前後方向および左右方向に延びている。
（３）ギアカバーの左側壁に対する組み付け
このようなギアカバー９５は、図１Ａおよび図１Ｂに示すように、作業者により、左側壁３４に組み付けられる。ギアカバー９５を左側壁３４に組み付けるには、まず、ギアトレイン９４が組み付けられた左側壁３４に対して、ギアカバー９５は、左方から組み付けられる。
【０１４５】
このとき、図１Ｂに示すように、第１延長部１１５の第１ガイド面１２３および第２延長部１１６の第２ガイド面１２４が、左方の杆状部７１の左端部を案内し、切欠部１１８が左方の杆状部７１の左端部を受け入れる。これによって、第１ガイド面１２３および第２ガイド面１２４が、ギアカバー９５の左側壁３４に対する装着を案内する。
【０１４６】
すると、第１延長部１１５の傾斜面１２６は、図５Ａに示すように、ロアフィルム８４の後方部分９０の左端部の上方に到達し、ロアフィルム８４の後方部分９０の左端部と左右方向に沿って当接する。詳しくは、傾斜面１２６は、ロアフィルム８４の後方部分９０のうち、左方の突部８７よりも左方に位置する部分１９５と当接する。なお、ロアフィルム８４の後方部分９０のうち、左方の突部８７よりも左方に位置する部分１９５が、第１端部の第１方向の端部の一例である。
【０１４７】
これによって、第１延長部１１５の傾斜面１２６は、杆状部７１の第２貼付面７７との間において、ロアフィルム８４の後方部分９０の左端部を挟み込む。このとき、第１延長部１１５は、ロアフィルム８４の後端部８０よりも、傾斜方向Ｘの上流に位置している。
【０１４８】
このとき、第２延長部１１６は、左方の杆状部７１に対して、第１延長部１１５の反対に位置している。また、第２部分１１７の平坦面１２７は、左方の杆状部７１の下方に到達し、左方の杆状部７１の下面と当接する。
【０１４９】
これによって、第２部分１１７の平坦面１２７は、第１延長部１１５の傾斜面１２６とともに、左方の杆状部７１、および、ロアフィルム８４の後方部分９０の左端部を挟み込む。
【０１５０】
以上により、ギアカバー９５の左側壁３４に対する組み付けが完了する。
【０１５１】
このとき、係合部１１４の挿通穴１２０は、左側壁３４の円柱部４４を受け入れる。これによって、ギアカバー９５は、左側壁３４に位置決めされる。
【０１５２】
また、カップリング開口１１３およびカップリングカラー１１０は、現像カップリング９７のカップリング部１０１を受け入れる。
【０１５３】
また、現像軸挿通口１１１および現像軸カラー１１２は、現像ローラ軸１１の左端部を受け入れる。これによって、現像軸挿通口１１１は、現像ローラ軸１１の左端部を相対回転可能に支持する。
【０１５４】
次いで、ねじ部材１２５が、ギアカバー９５を左側壁３４にねじ止めする。これによって、ギアカバー９５が左側壁３４に固定される。
（４）給電ユニット
給電ユニット３３は、図３Ｂに示すように、供給電極１３０と、現像電極ユニット１３１とを備えている。
（４−１）供給電極
供給電極１３０は、図７Ｂおよび図８Ａに示すように、導電性の樹脂材料からなり、側面視において、前上方と後下方とを結ぶ方向に延びている。供給電極１３０は、供給接触部１３２と、連結部１３３と、供給軸挿通部１３４とを一体に有している。
【０１５５】
供給接触部１３２は、供給電極１３０の上端部に配置されている。供給接触部１３２は、図７Ｂに示すように、左右方向に延びる角筒形状であり、供給接触部１３２の右端部は閉鎖され、供給接触部１３２の左端部は開放されている。
【０１５６】
また、供給接触部１３２の右壁は、リブ１３５を有している。リブ１３５は、図１０Ａに示すように、供給接触部１３２の右壁の左面から左方へ向かって突出している。また、リブ１３５は、図７Ｂに示すように、側面視において、前下方と後上方とを結ぶ方向に延びている。
【０１５７】
連結部１３３は、側面視略Ｌ字の板状である。詳しくは、連結部１３３は、供給接触部１３２の下端部における左端部から連続して、下方に向かって延びた後、屈曲して、後下方に向かって延びている。
【０１５８】
また、連結部１３３は、貫通穴１３６と、複数の長穴１３７と、電極側突条１３８とを有している。貫通穴１３６は、図８Ａに示すように、連結部１３３の上下方向略中央部分に配置されている。貫通穴１３６は、側面視略略円形状であり、連結部１３３を左右方向に貫通している。貫通穴１３６の内径は、電極支持軸５２の外径よりも大きい。また、貫通穴１３６の内径と、電極支持軸５２の外径との差は、供給軸挿通部１３４の内径と、供給ローラ軸１３の外径との差よりも大きい。
【０１５９】
複数の長穴１３７は、複数のガイド突起５７のそれぞれに対応して、貫通穴１３６の前上方と、貫通穴１３６の後下方とに１つずつ配置されている。各長穴１３７は、前上方と後下方とを結ぶ方向に延びる側面視略楕円形状であり、連結部１３３を左右方向に貫通している。また、長穴１３７の長径は、ガイド突起５７の外径よりも大きく、長穴１３７の短径は、ガイド突起５７の外径と略同じである。
【０１６０】
電極側突条１３８は、連結部１３３の右面に配置されている。電極側突条１３８は、側面視において、前下方と後上方とを結ぶ方向に延びている。また、電極側突条１３８は、図１０Ｂに示すように、右方へ向かうにつれて幅狭となる平面視略台形状であり、連結部１３３の右面から右方へ向かって突出している。また、電極側突条１３８の後面１３９は、右方へ向かうにつれて右上方へ傾斜している。
【０１６１】
供給軸挿通部１３４は、図７Ｂに示すように、供給電極１３０の下端部に配置されている。供給軸挿通部１３４は、左右方向に延びる略円筒形状である。供給軸挿通部１３４の内径は、供給ローラ軸１３の外径と略同じである。そして、供給軸挿通部１３４は、供給軸挿通部１３４の外周面の前上端部が、連結部１３３の下端部に接続されている。
（４−２）現像電極ユニット
現像電極ユニット１３１は、図７Ａおよび図７Ｃに示すように、支持部材の一例としての軸受部材１４１と、現像電極１４２とを備えている。
【０１６２】
軸受部材１４１は、絶縁性の樹脂材料からなる。軸受部材１４１は、図６Ｂ、図７Ａおよび図７Ｃに示すように、軸受部１４３と、絶縁部１４４と、第２押さえ部１４５とを一体に有している。
【０１６３】
軸受部１４３は、図７Ｃに示すように、本体プレート１４６を有している。
【０１６４】
本体プレート１４６は、図７Ｃに示すように、前後方向に延びる側面視略矩形の板状である。本体プレート１４６は、図６Ｂに示すように、軸支持部の一例としての現像軸挿通口１５６と、複数の位置決め穴１５８と、供給軸挿通口１５７と、第１ねじ穴１５９とを有している。
【０１６５】
現像軸挿通口１５６は、軸受部材１４１の後方部分における上下方向略中央に配置されている。現像軸挿通口１５６は、側面視略円形状であり、本体プレート１４６を左右方向に貫通している。現像軸挿通口１５６の内径は、現像ローラ軸１１の外径と略同じである。
【０１６６】
複数の位置決め穴１５８は、複数の位置決め突起５１のそれぞれに対応して、現像軸挿通口１５６の前上方と、現像軸挿通口１５６の後下方とに、１つずつ配置されている。各位置決め穴１５８は、側面視略矩形状であり、本体プレート１４６を左右方向に貫通している。位置決め穴１５８の内寸は、位置決め突起５１の外径と略同じである。
【０１６７】
供給軸挿通口１５７は、図６Ｂに示すように、現像軸挿通口１５６の前下方に配置されている。供給軸挿通口１５７は、側面視略円形状であり、本体プレート１４６を左右方向に貫通している。供給軸挿通口１５７の内径は、供給ローラ軸１３の外径と略同じである。
【０１６８】
第１ねじ穴１５９は、図７Ｃに示すように、本体プレート１４６の前方部分における上下方向略中央部分に配置されている。第１ねじ穴１５９は、側面視略円形状であり、本体プレート１４６を左右方向に貫通している。第１ねじ穴１５９の内径は、電極支持軸５２の右端部の外径と略同じである。
【０１６９】
また、軸受部１４３は、本体プレート１４６の左面において、溝挿通筒１５２と、接触筒部１５５と、軸受側突条１６０と、第１スナップフィット１５０と、第２スナップフィット１５１とを有している。
【０１７０】
溝挿通筒１５２は、図６Ｂに示すように、左右方向に延びる略円筒形状であり、現像軸挿通口１５６の周縁から左方に向かって突出している。
【０１７１】
接触筒部１５５は、本体プレート１４６の左面において、溝挿通筒１５２の前下方に配置されている。接触筒部１５５は、左右方向に延びる略円筒形状であり、供給軸挿通口１５７の周縁から左方に向かって突出している。
【０１７２】
軸受側突条１６０は、本体プレート１４６の左面において、供給軸挿通口１５７の前上方に配置されている。軸受側突条１６０は、側面視において、前下方と後上方とを結ぶ方向に延びている。また、軸受側突条１６０は、図１０Ｂに示すように、左方へ向かうにつれて幅狭となる平面視略台形状であり、本体プレート１４６の左面から左方へ向かって突出している。また、軸受側突条１６０の前面１６１は、左方へ向かうにつれて後下方へ傾斜している。
【０１７３】
第１スナップフィット１５０は、図６Ｂに示すように、本体プレート１４６の左面において、接触筒部１５５の前下方に配置されている。第１スナップフィット１５０は、左右方向に延びる板状である。詳しくは、第１スナップフィット１５０は、側面視において前上方と後下方とを結ぶ方向に延びており、本体プレート１４６の左面から左方に向かって突出している。これによって、第１スナップフィット１５０は、前下方と後上方とを結ぶ方向に撓むように弾性変形可能である。また、第１スナップフィット１５０の左端部は、後上方に向かって屈曲する断面鉤状である。
【０１７４】
第２スナップフィット１５１は、本体プレート１４６の左面において、溝挿通筒１５２の上方に配置されている。第２スナップフィット１５１は、左右方向に延びる平面視略矩形の板状であり、本体プレート１４６の左面から左方に向かって突出している。これによって、第１スナップフィット１５０は、上下方向に撓むように弾性変形可能である。また、第２スナップフィット１５１の左端部は、上方に向かって屈曲する断面鉤状である。
【０１７５】
また、軸受部１４３は、本体プレート１４６の右面において、供給軸カラー１５３と、ガイドリブ１５４と、鍔部１４７と、係止部１４８と、フック部１４９とを有している。
【０１７６】
供給軸カラー１５３は、図７Ｃに示すように、左右方向に延びる略円筒形状であり、現像軸挿通口１５６の周縁から右方に向かって突出している。また、供給軸カラー１５３の右端部は、閉鎖されている。
【０１７７】
ガイドリブ１５４は、本体プレート１４６の右面において、供給軸カラー１５３の後方に隣接配置されている。ガイドリブ１５４は、前後方向に延びる略杆状であり、供給軸カラー１５３の後端部から連続して、後方に向かって延びている。また、ガイドリブ１５４の左端部は、図７Ａに示すように、本体プレート１４６の右面に接続されている。
【０１７８】
鍔部１４７は、本体プレート１４６の右面の前端部における上方部分に配置されている。鍔部１４７は、本体プレート１４６の右面から右方に向かって突出しており、本体プレート１４６の前端縁に沿って、上下方向に延びている。
【０１７９】
係止部１４８は、鍔部１４７の下端部の後方に隣接配置されている。係止部１４８は、前後方向に延びる略杆状であり、鍔部１４７の下端部における右方部分から連続して、後方に向かって延びている。これによって、係止部１４８は、左右方向に撓むように弾性変形可能である。また、係止部１４８の後端部は、左方に向かって屈曲する断面鉤状である。
【０１８０】
フック部１４９は、本体プレート１４６の右面において、現像軸挿通口１５６の上方に配置されている。フック部１４９は、背面視略Ｌ字の板状であり、前後方向に延びている。詳しくは、フック部１４９は、本体プレート１４６の右面の後上端部から、右方に向かって延びた後、屈曲して下方に向かって延びている。
【０１８１】
絶縁部１４４は、軸受部材１４１の前上端部に配置されている。絶縁部１４４は、側面視略Ｌ字状であり、左右方向に延びる角筒形状である。また、絶縁部１４４の右端部は、閉鎖されている。
【０１８２】
絶縁部１４４は、第１絶縁部１６５と、第２絶縁部１６６とを一体に有している。
【０１８３】
第１絶縁部１６５は、絶縁部１４４の前方部分であって、前後方向に延びる側面視略矩形状である。そして、第１絶縁部１６５の下方部分における左端部は、本体プレート１４６の右面における前上端部に接続されている。
【０１８４】
第２絶縁部１６６は、絶縁部１４４の後方部分であって、上下方向に延びる側面視略矩形状である。また、第２絶縁部１６６の前下端部は、第１絶縁部１６５の後端部に接続されている。
【０１８５】
第２押さえ部１４５は、図６Ｂに示すように、本体プレート１４６の左面における後下端部に配置されている。第２押さえ部１４５は、側面視略Ｌ字の板状であり、第１延長部１７０と、第２延長部１７１とを有している。
【０１８６】
第１延長部１７０は、第２押さえ部１４５の後方部分であり、左右方向に延びる背面視略矩形の板状である。第１延長部１７０は、本体プレート１４６の左面の後端部における下端部から連続して、左方に向かって延びている。
【０１８７】
第２延長部１７１は、第２押さえ部１４５の前方部分であり、第１部分１７２と、第２部分１７３とを有している。
【０１８８】
第１部分１７２は、左右方向に延びる平面視略矩形の板状である。第１部分１７２は、本体プレート１４６の左面の下端部における後端部から連続して、右方に向かって延びている。第１部分１７２の左右方向の寸法は、第１延長部１７０の左右方向の寸法よりも短い。
【０１８９】
第２部分１７３は、第１部分１７２の後端部と、第１延長部１７０の下端部との間に配置されている。第２部分１７３は、左右方向に延びる板状であり、本体プレート１４６の左面における後下端部から連続して、左方に向かって延びている。第２部分１７３の左右方向の寸法は、第１部分１７２の左右方向の寸法と略同じ長さである。
【０１９０】
また、第２部分１７３は、上下方向に切断したときの断面形状が、前下方と後上方とを結ぶ方向に延びている。第２部分１７３の上端部は、第１延長部１７０の下端部に連続しており、第２部分１７３の下端部は、第１部分１７２の後端部に連続している。
【０１９１】
また、第１延長部１７０および第２部分１７３は、図７Ｃに示すように、切欠部１７４を有している。切欠部１７４は、第１延長部１７０と第２部分１７３との接続部分における左方部分に配置されている。切欠部１７４は、背面視略矩形状である。詳しくは、切欠部１７４は、第１延長部１７０の左端縁における下端部から右方に向かって、背面視略矩形状に切り欠かれるとともに、第２部分１７３の左端縁における上方部分から右方に向かって、背面視略矩形状に切り欠かれている。
【０１９２】
また、切欠部１７４の上面は、図３Ｂに示すように、案内部の一例としての第１ガイド面１７５と、傾斜面１７６とを有しており、切欠部１７４の下面は、案内部の一例としての第２ガイド面１７７と、平坦面１７８とを有している。
【０１９３】
第１ガイド面１７５は、切欠部１７４の上面における左端部である。第１ガイド面１７５は、背面視において、左上方と右下方とを結ぶ方向に延びており、第１延長部１７０の左端縁の上下方向中央部分から、下方に向かうにつれて、右方に傾斜している。
【０１９４】
傾斜面１７６は、切欠部１７４の上面において、第１ガイド面１７５の右方に隣接している。傾斜面１７６は、図５Ｂに示すように、側面視において、前上方と後下方とを結ぶ方向に延びており、杆状部７１の第２貼付面７７に沿っている。
【０１９５】
第２ガイド面１７７は、図３Ｂに示すように、切欠部１７４の下面における左端部である。第２ガイド面１７７は、正面視において、右上方と左下方とを結ぶ方向に延びており、第２部分１７３の左端縁の下端部から、上方に向かうにつれて、右方に傾斜している。
【０１９６】
平坦面１７８は、図５Ｂに示すように、切欠部１７４の下面において、第２ガイド面１７７の右方に隣接している。平坦面１７８は、前後方向および左右方向に延びている。
【０１９７】
現像電極１４２は、図７Ｃに示すように、導電性の樹脂材料からなる。現像電極１４２は、前後方向に延びる側面視略矩形状であり、現像接触部１８０と、平板部１８１と、現像軸挿通部１８２と、上方延設部１８３と、下方延設部１８４とを一体に有している。
【０１９８】
現像接触部１８０は、現像電極１４２の前後方向の略中央に配置されている。現像接触部１８０は、左右方向に延びる略角筒形状であって、現像接触部１８０の右端部は、閉鎖されている。また、現像接触部１８０は、前上方と後下方とを結ぶ方向に延びる側面視略矩形状である。
【０１９９】
平板部１８１は、現像電極１４２の前方部分であって、現像電極１４２の前方に隣接されている。平板部１８１は、前後方向に延びる側面視略矩形の板状であり、現像接触部１８０の左端部における前下部分から連続して、前方に向かって延びている。平板部１８１は、第２ねじ穴１８６と、係止突起１８７とを有している。第２ねじ穴１８６は、平板部１８１の前方部分に配置されている。第２ねじ穴１８６は、側面視略円形状であり、平板部１８１を左右方向に貫通している。第２ねじ穴１８６の内径は、電極支持軸５２の右端部の外径と略同じである。
【０２００】
係止突起１８７は、平板部１８１の前方部分に対して下方に隣接されている。係止突起１８７は、前後方向に延びる側面視略矩形の板状であり、平板部１８１の下端縁における前方部分から、下方に向かって突出している。
【０２０１】
現像軸挿通部１８２は、現像電極１４２の後方部分であって、現像接触部１８０の後方に隣接されている。現像軸挿通部１８２は、左右方向に延びる略円筒形状である。現像軸挿通部１８２の内径は、現像ローラ軸１１の外径と略同じである。そして、現像軸挿通部１８２の外周面の前端部が、現像接触部１８０の後端部に接続されている。
【０２０２】
上方延設部１８３は、現像軸挿通部１８２に対して上方に隣接されている。上方延設部１８３は、前後方向に延びる側面視略矩形の板状である。また、上方延設部１８３は、平面視クランク状であって、上方延設部１８３の前方部分が、上方延設部１８３の後方部分よりも左方に位置している。そして、上方延設部１８３は、現像軸挿通部１８２の左端部における上方部分から連続して、上方に向かって突出している。
【０２０３】
下方延設部１８４は、現像軸挿通部１８２に対して下方に隣接されている。下方延設部１８４は、前後方向に延びる側面視略矩形の板状である。そして、下方延設部１８４は、現像軸挿通部１８２の左端部における下方部分から連続して、下方に向かって突出している。
（５）給電ユニットの右側壁に対する組み付け
このような給電ユニット３３は、図３Ａ、図３Ｂ、図８Ａおよび図８Ｂに示すように、作業者により、右側壁３５に組み付けられる。給電ユニット３３を右側壁３５に組み付けるには、まず、図８Ａおよび図８Ｂに示すように、供給電極１３０が右側壁３５に対して、右方から組み付けられる。
【０２０４】
このとき、貫通穴１３６が、電極支持軸５２の右端部を受け入れ、複数の長穴１３７のそれぞれが、対応するガイド突起５７を受け入れる。
【０２０５】
また、供給軸挿通部１３４が、供給ローラ軸１３の右端部を相対回転可能に受け入れる。これによって、供給軸挿通部１３４と供給ローラ軸１３とが、電気的に接続される。
【０２０６】
これによって、供給電極１３０の右側壁３５に対する組み付けが完了する。
【０２０７】
供給電極１３０が右側壁３５に組み付けられた状態において、供給接触部１３２は、図１０Ａに示すように、供給電極ガイド部５３の板状部５４の右方に僅かに間隔を空けて配置されており、その内部空間に突条５５を収容している。そして、リブ１３５の左端部が、突条５５の右端面５６に接触している。
【０２０８】
次いで、供給電極１３０が組み付けられた右側壁３５に対して、現像電極ユニット１３１を組み付ける。
【０２０９】
現像電極ユニット１３１を右側壁３５に組み付けるには、まず、図７Ｃに示すように、軸受部材１４１に現像電極１４２を組み付けて、現像電極ユニット１３１を構成する。
【０２１０】
軸受部材１４１に現像電極１４２を組み付けるには、平板部１８１が第１絶縁部１６５と係止部１４８との上下方向の間に挿入されるように、現像電極１４２が、軸受部材１４１に対して後方から組み付けられる。
【０２１１】
そうすると、係止突起１８７の前端部が、係止部１４８の後端部に当接し、係止部１４８が、右方に向かって弾性変形する。
【０２１２】
そして、現像電極１４２がさらに後方に移動すると、係止突起１８７と係止部１４８の後端部との当接が解除され、係止部１４８が復元する。これによって、係止突起１８７と係止部１４８とが係合する。
【０２１３】
このとき、上方延設部１８３の前方部分が、フック部１４９に前方から挿入される。
【０２１４】
以上により、軸受部材１４１に対する現像電極１４２の組み付けが完了し、現像電極ユニット１３１が構成される。
【０２１５】
このとき、図７Ａに示すように、現像電極１４２の下方延設部１８４は、軸受部材１４１のガイドリブ１５４の上方に配置され、現像電極１４２の現像接触部１８０は、絶縁部１４４に対して後下方に配置される。
【０２１６】
また、現像電極１４２の第２ねじ穴１８６は、軸受部材１４１の第１ねじ穴１５９と、左右方向に連通しており、現像軸挿通部１８２の内部空間は、軸受部材１４１の現像軸挿通口１５６と左右方向に連通している。
【０２１７】
次いで、図３Ｂに示すように、現像電極ユニット１３１が、供給電極１３０の連結部１３３および供給軸挿通部１３４を右方から被覆するように、右側壁３５に対して右方から組み付けられる。
【０２１８】
このとき、第１延長部１７０の第１ガイド面１７５、および、第２延長部１７１の第２ガイド面１７７が、右方の杆状部７１の右端部を案内し、切欠部１７４が、右方の杆状部７１の右端部を受け入れる。これによって、第１ガイド面１７５および第２ガイド面１７７が、現像電極ユニット１３１の右側壁３５に対する装着を案内する。
【０２１９】
すると、第１延長部１７０の傾斜面１７６は、図５Ｂに示すように、ロアフィルム８４の後方部分９０の右端部の上方に到達し、ロアフィルム８４の後方部分９０の右端部と左右方向に沿って当接する。詳しくは、傾斜面１７６は、ロアフィルム８４の後方部分９０のうち、右方の突部８７よりも右方に位置する部分１９６と当接する。なお、ロアフィルム８４の後方部分９０のうち、右方の突部８７よりも右方に位置する部分１９６が、第１端部の第１方向の端部の一例である。
【０２２０】
これによって、第１延長部１７０の傾斜面１７６は、杆状部７１の第２貼付面７７との間において、ロアフィルム８４の後方部分９０の右端部を挟み込む。このとき、第１延長部１７０は、ロアフィルム８４の後端部８０よりも、傾斜方向Ｘの上流に位置している。
【０２２１】
また、第２延長部１７１は、右方の杆状部７１に対して、第１延長部１７０の反対に位置している。また、第２延長部１７１の平坦面１７８は、右方の杆状部７１の下方に到達し、右方の杆状部７１の下面と当接する。これによって、第２延長部１７１の平坦面１７８は、第１延長部１７０の傾斜面１７６とともに、右方の杆状部７１、および、ロアフィルム８４の後方部分９０の右端部を挟み込む。
【０２２２】
このとき、第１スナップフィット１５０は、図５Ｂに示すように、係合突起６８と係合し、第２スナップフィット１５１は、係合穴５０に挿入され、係合穴５０の周縁と係合する。
【０２２３】
これによって、現像電極ユニット１３１が右側壁３５に組み付けられる。
【０２２４】
現像電極ユニット１３１が右側壁３５に組み付いた状態において、図３Ｂに示すように、溝挿通筒１５２が、現像ローラ軸挿通溝４２に挿入されるとともに、溝挿通筒１５２、現像軸挿通口１５６および現像軸挿通部１８２が、現像ローラ軸１１の右端部を相対回転可能に受け入れる。
【０２２５】
これによって、現像ローラ軸１１の右端部が、軸受部材１４１を介して、右側壁３５に回転可能に支持される。そのため、現像ローラ４は、図３Ａに示すように、筐体２に対して現像ローラ軸１１の中心軸線Ａを中心として回転するように構成されている。なお、現像ローラ軸１１の中心軸線Ａが、回転軸線の一例である。
【０２２６】
また、現像ローラ軸１１と現像軸挿通部１８２とが接触するので、現像ローラ軸１１と現像軸挿通部１８２とが、電気的に接続される。
【０２２７】
また、図３Ｂおよび図６Ｂに示すように、供給軸挿通口１５７および接触筒部１５５が、供給ローラ軸１３の右端部を相対回転可能に受け入れる。
【０２２８】
これによって、供給ローラ軸１３の右端部が、軸受部材１４１を介して、右側壁３５に回転可能に支持される。そのため、供給ローラ５は、筐体２に対して供給ローラ軸１３の中心軸線を中心として回転するように構成されている。
【０２２９】
また、接触筒部１５５は、図９Ｂに示すように、供給軸挿通部１３４の右方に隣接されている。なお、図示しないが、供給電極１３０および現像電極ユニット１３１が右側壁３５に固定される前の状態において、接触筒部１５５の左端部と、供給軸挿通部１３４の右端部とは、左右方向において、僅かな間隔を空けて配置されている。
【０２３０】
また、複数の位置決め穴１５８のそれぞれは、図３Ｂおよび図６Ｂに示すように、対応する位置決め突起５１を受け入れる。これによって、現像電極ユニット１３１は、右側壁３５に位置決めされる。
【０２３１】
また、軸受側突条１６０の前面１６１が、図１０Ａに示すように、電極側突条１３８の後面１３９と接触している。
【０２３２】
また、第１絶縁部１６５は、図９Ａに示すように、供給接触部１３２の下方に配置され、第２絶縁部１６６は、供給接触部１３２の後方に配置されている。つまり、絶縁部１４４は、供給接触部１３２と現像接触部１８０との間に配置されている。また、本体プレート１４６は、連結部１３３および供給軸挿通部１３４と、現像電極１４２との間に配置されている。すなわち、供給電極１３０と現像電極１４２との間には、軸受部材１４１が介在している。そのため、供給電極１３０と現像電極１４２とは、軸受部材１４１によって互いに絶縁されている。
【０２３３】
また、第１ねじ穴１５９および第２ねじ穴１８６は、電極支持軸５２の右端部を受け入れている。
【０２３４】
次いで、図９Ａに示すように、ねじ部材１９０が、第１ねじ穴１５９および第２ねじ穴１８６を介して、電極支持軸５２に螺合する。これによって、供給電極１３０および現像電極ユニット１３１が、共通のねじ部材１９０によって右側壁３５に固定される。
【０２３５】
以上によって、給電ユニット３３の右側壁３５に対する組み付けが完了する。
【０２３６】
給電ユニット３３が右側壁３５に組み付けられた状態において、図１０Ｂに示すように、供給電極１３０の供給軸挿通部１３４の左端部は、シール収容部６５に挿入され、供給シール８２の右端面と当接している。これによって、供給シール８２は、その弾性力により、供給軸挿通部１３４を、右方に向かって付勢している。そのため、供給電極１３０の連結部１３３は、供給シール８２の弾性力によって、下方に向かうにつれて右方に向かって僅かに弾性変形している。これによって、電極側突条１３８は、連結部１３３の弾性変形に伴って、軸受側突条１６０の前面１６１の傾斜に沿って、右方に向かうにつれて、前上方に移動される。すると、供給電極１３０は、電極側突条１３８の移動に追従するように、全体的に、前上方に移動する。
【０２３７】
これにより、供給電極１３０の供給軸挿通部１３４が、供給ローラ軸１３の中心軸線に対して、前上方に向かって移動され、供給軸挿通部１３４の内周面における後下端部が、供給ローラ軸１３の外周面における後下端部と接触する。
４．本体ケーシングの詳細
本体ケーシング１６は、図１Ａおよび図９Ａに示すように、本体カップリング２００と、第１本体電極２０１と、第２本体電極２０２とを備えている。
【０２３８】
本体カップリング２００は、図１Ａに示すように、現像カートリッジ１が本体ケーシング１６に装着された状態において、現像カップリング９７の結合凹部１０２に対して、左方に間隔を空けて配置されている。また、本体カップリング２００は、左右方向に延びる略円柱形状であり、その右端部が、結合凹部１０２に挿入可能に構成されている。
【０２３９】
本体カップリング２００は、公知の連動機構により、フロントカバー２１の開閉動作に連動して、左右方向に沿って移動するように構成されている。また、本体カップリング２００は、本体ケーシング１６に備えられる図示しないモータなどの駆動源からの駆動力が伝達されるように構成されており、駆動力がされると、左側面視時計方向に回転する。
【０２４０】
第１本体電極２０１は、図９Ａに示すように、現像カートリッジ１が本体ケーシング１６に装着された状態において、供給電極１３０の供給接触部１３２の左面と接触するように配置されている。また、第１本体電極２０１は、左右方向に変位可能に構成され、常には、左方へ向かって付勢されている。第１本体電極２０１は、本体ケーシング１６に備えられる図示しない電源に電気的に接続されている。
【０２４１】
第２本体電極２０２は、現像カートリッジ１が本体ケーシング１６に装着された状態において、現像電極１４２の現像接触部１８０の左面と接触するように配置されている。また、第２本体電極２０２は、左右方向に変位可能に構成され、常には、左方へ向かって付勢されている。第２本体電極２０２は、本体ケーシング１６に備えられる図示しない電源に電気的に接続されている。
５．現像カートリッジの本体ケーシングへの装着、および、現像カートリッジの現像動作
次に、現像カートリッジ１の本体ケーシング１６に対する装着動作、および、現像カートリッジ１による現像動作について説明する。
【０２４２】
現像カートリッジ１を本体ケーシング１６に装着するには、図２に示すように、作業者が、フロントカバー２１を開放し、現像カートリッジ１を、開口部２０を介して、本体ケーシング１６に前方から挿入する。
【０２４３】
これによって、現像カートリッジ１の本体ケーシング１６に対する装着が完了する。
【０２４４】
このとき、図９Ａに示すように、供給電極１３０の供給接触部１３２の左面は、第１本体電極２０１と接触する。これによって、供給電極１３０と第１本体電極２０１とが電気的に接続される。
【０２４５】
また、図１０Ａに示すように、第１本体電極２０１は、供給電極１３０の供給接触部１３２の左面と接触すると、供給接触部１３２を左方へ向かって押圧する。すると、供給接触部１３２のリブ１３５が、突条５５の右端面５６の傾斜に沿って、左方へ向かうにつれて、前上方に移動する。
【０２４６】
これによって、供給接触部１３２は、左方へ向かうにつれて、前上方に移動し、供給電極１３０は、供給接触部１３２の移動に追従するように、全体的に、前上方に移動する。そのため、供給軸挿通部１３４が、供給ローラ軸１３に対して、前上方に向かって移動し、供給軸挿通部１３４と供給ローラ軸１３とが確実に接触する。
【０２４７】
また、現像電極１４２の現像接触部１８０の左面は、第２本体電極２０２と接触する。これによって、現像電極１４２と第２本体電極２０２とが電気的に接続される。
【０２４８】
次いで、フロントカバー２１を閉鎖する。フロントカバー２１が閉鎖されると、図１Ａに示すように、図示しない公知の連動機構により、本体カップリング２００は、現像カップリング９７の結合凹部１０２に相対回転不能に進入する。
【０２４９】
その後、本体ケーシング１６に備えられる図示しない制御部の制御は、図２に示すように、プリンタ１５の画像形成動作を開始する。
【０２５０】
画像形成動作では、本体ケーシング１６の図示しない電源からの電力が、図９Ａに示すように、第１本体電極２０１および現像電極１４２を介して、現像ローラ軸１１に供給されるとともに、第２本体電極２０２および供給電極１３０を介して、供給ローラ軸１３に供給される。これにより、図示しない電源から、現像ローラ４に現像バイアスが印加され、供給ローラ５に供給バイアスが印加される。
【０２５１】
また、本体カップリング２００は、図１Ｂに示すように、現像カップリング９７のカップリング部１０１に駆動力を入力する。すると、現像カップリング９７は、左側面視時計方向に回転する。このとき、現像カップリング９７は、カップリングギア部１００に噛合する各種ギア、具体的には、現像ギア９８および供給ギア９９に、駆動力を伝達する。
【０２５２】
現像ギア９８および供給ギア９９のそれぞれに駆動力が伝達されると、現像ローラ４は、現像ギア９８に伝達された駆動力により、図５Ｂに示すように、左側面視反時計方向である回転方向Ｒに回転し、供給ローラ５は、供給ギア９９に伝達された駆動力により、左側面視反時計方向に回転する。
【０２５３】
なお、アジテータ３は、図示しないギア列を介して、現像カップリング９７からの駆動力が伝達され回転する。
【０２５４】
アジテータ３が回転すると、図２に示すように、攪拌ブレード１０が、トナー収容室７内のトナーを、現像室８に向かって搬送する。そうすると、トナーが、トナー収容室７から現像室８に供給される。
【０２５５】
現像室８に供給されたトナーは、供給ローラ５の供給ローラ本体１４に供給される。そして、供給ローラ５は、回転により、トナーを、供給ローラ本体１４から現像ローラ４の現像ローラ本体１２に供給する。
【０２５６】
このとき、現像ローラ本体１２と供給ローラ本体１４とは、トナーを正極性に摩擦帯電する。これによって、現像ローラ本体１２は、トナーを担持する。
【０２５７】
次いで、現像ローラ４の回転に伴って、層厚規制ブレード６が、現像ローラ本体１２に担持されたトナーの層厚を規制する。
【０２５８】
このとき、サイドシール８３の接触部８６が、図５Ａおよび図５Ｂに示すように、現像ローラ本体１２の左右方向端部における周面と接触しているので、現像ローラ４の左右方向の両方からのトナーの漏れが抑制される。
【０２５９】
また、ロアフィルム８４の前方部分９１が、現像ローラ本体１２の周面に対して、左右方向に沿って接触しているので、現像ローラ４とリップ部７０との間からのトナーの漏れが抑制される。
６．作用効果
（１）現像カートリッジ１では、図４Ａおよび図４Ｂに示すように、ロアフィルム８４の後方部分９０が貼付部４０に固定されている。また、左方の杆状部７１と第１延長部１１５とが、図５Ａに示すように、ロアフィルム８４の後方部分９０を挟んでいる。そのため、ロアフィルム８４の後方部分９０が、貼付部４０から剥がれることを抑制できる。
【０２６０】
また、杆状部７１の第２貼付面７７の後端縁８１およびロアフィルム８４の後端部８０のそれぞれは、第１延長部１１５よりも、傾斜方向Ｘの下流に位置している。そのため、第１延長部１１５は、第２貼付面７７との間において、ロアフィルム８４を確実に挟むことができる。
【０２６１】
従って、例え、長寿命化を図った場合であっても、長期にわたって、ロアフィルム８４が貼付部４０から剥がれることを抑制できる。
（２）また、第１延長部１１５が、図５Ａに示すように、ロアフィルム８４の後方部分９０の左端部と当接しており、第２貼付面７７との間において、ロアフィルム８４の後方部分９０の左端部を挟んでいる。そのため、ロアフィルム８４の後方部分９０の左端部が、貼付部４０から剥がれることを抑制できる。
（３）また、ギアカバー９５は、図６Ａに示すように、現像ローラ軸１１を支持する現像軸挿通口１１１と、杆状部７１との間において、ロアフィルム８４の後方部分９０を挟む第１延長部１１５との両方を有している。そのため、現像軸挿通口１１１と、第１延長部１１５とのそれぞれが別部材として備えられる場合と比較して、部品点数の低減を図ることができる。
（４）また、ギアカバー９５は、図６Ａに示すように、第１ガイド面１２３および第２ガイド面１２４を有している。そして、第１ガイド面１２３および第２ガイド面１２４は、図１Ｂに示すように、ギアカバー９５が左側壁３４に組み付けられるときに、ギアカバー９５の装着を案内する。そのため、ギアカバー９５の左側壁３４に対する組み付け作業の円滑化を図ることができる。
（５）また、サイドシール８３が、図５Ａおよび図５Ｂに示すように、シール配置部３９と現像ローラ本体１２の左右方向の端部の周面との間に配置され、ロアフィルム８４の後方部分９０の左右方向の端部の少なくとも一部が、突部８７上に固定されている。つまり、ロアフィルム８４の左右方向の端部の少なくとも一部は、サイドシール８３と現像ローラ本体１２の周面との間に挟まれている。
【０２６２】
そのため、サイドシール８３、および、ロアフィルム８４の左右方向の端部の少なくとも一部が、シール配置部３９と現像ローラ本体１２の左右方向の端部の周面との間からのトナーの漏れを確実に抑制できる。
【０２６３】
しかるに、ロアフィルム８４の左右方向の端部を、サイドシール８３上に固定すると、サイドシール８３の弾性力により、ロアフィルム８４の後方部分９０が、貼付部４０から剥がれる場合がある。
【０２６４】
しかし、貼付部４０と第１延長部１１５とが、ロアフィルム８４の後方部分９０を挟むので、ロアフィルム８４の後方部分９０が貼付部４０から剥がれることを抑制できる。
【０２６５】
そのため、シール配置部３９と現像ローラ本体１２の左右方向の端部の周面との間からのトナーの漏れを確実に抑制できながら、ロアフィルム８４の後方部分９０が貼付部４０から剥がれることを抑制できる。
（６）また、ギアカバー９５は、図５Ａに示すように、第２延長部１１６を備えている。そして、第１延長部１１５と第２延長部１１６とが、左方の杆状部７１およびロアフィルム８４を挟むので、杆状部７１に対するギアカバー９５の相対的な位置精度の向上を図ることができ、ひいては、杆状部７１に固定されるロアフィルム８４の後方部分９０と、第１延長部１１５との相対的な位置精度の向上を図ることができる。
【０２６６】
そのため、第１延長部１１５と、左方の杆状部７１とが、ロアフィルム８４の後方部分９０の左端部を確実に挟むことができ、ロアフィルム８４の後方部分９０が、杆状部７１から剥がれることをより一層確実に抑制できる。
７．変形例
上記した現像カートリッジ１は、本発明の一実施形態であり、本発明は上記した実施形態に限定されない。
【０２６７】
上記の実施形態では、現像カートリッジ１は、ドラムカートリッジ２４に装着または離脱するように構成される。しかし、これに限定されず、現像カートリッジ１は、ドラムカートリッジ２４と一体として構成することもできる。この場合、現像カートリッジ１とドラムカートリッジ２４とを一体に備えるプロセスカートリッジ１７が、現像装置の一例として対応する。
【０２６８】
また、現像カートリッジ１は、現像ローラ４を有するフレームに対し、トナーが収容されるトナーカートリッジが装着または離脱するように構成することもできる。この場合、現像ローラ４を有するフレームは、本体ケーシング１６に離脱不能に固定されていてもよく、また、本体ケーシング１６に離脱可能に装着されていてもよい。現像ローラ４を有するフレームが本体ケーシング１６に離脱不能に固定されている場合、プリンタ１５が現像装置の一例として対応する。
【０２６９】
また、上記の実施形態では、ギアカバー９５は、現像軸挿通口１１１を有するベースプレート１０５と、第１延長部１１５とを一体として有している。しかし、これに限定されず、ギアカバー９５は、ベースプレート１０５と、第１延長部１１５とを別体として構成することもできる。同様に、軸受部材１４１は、現像軸挿通口１５６を有する本体プレート１４６と、第１延長部１７０とを別体として構成することもできる。
【０２７０】
また、上記の実施形態では、サイドシール８３は、シール本体８８の前面が、第１支持部６６の後面、供給シール８２の後面および第２支持部６７の上面と直接接触するように、シール配置部３９に配置されている。つまり、サイドシール８３は、例えば、両面粘着シールなどにより、シール配置部３９に貼り付けられることなく、シール配置部３９に配置されている。しかし、これに限定されず、サイドシール８３は、シール配置部３９に両面粘着シールなどにより貼り付けてもよい。
【０２７１】
また、上記の実施形態では、ロアフィルム８４の後方部分９０の一部は、接着層８９により、突部８７の上面に固定されている。しかし、これに限定されず、ロアフィルム８４の後方部分９０の一部は、突部８７の上面に固定されていなくてもよい。
【０２７２】
また、上記した現像ローラ４に代えて、現像スリーブを適用することもできる。この場合、現像スリーブは、現像ローラの一例である。
【０２７３】
このような変形例においても、上記した実施形態と同様の作用効果を奏することができる。
【０２７４】
また、上記の実施形態および変形例は、適宜組み合わせることができる。
【符号の説明】
【０２７５】
１      現像カートリッジ
２      筐体
４      現像ローラ
１１    現像ローラ軸
４０    貼付部
８３    サイドシール
８４    ロアフィルム
９０    ロアフィルムの後方部分
９１    ロアフィルムの前方部分
９５    ギアカバー
１１１  現像軸挿通口
１１５  第１延長部
１１６  第２延長部
１２３  第１ガイド面
１２４  第２ガイド面
１４１  軸受部材
１７０  第１延長部
１７１  第２延長部
１７５  第１ガイド面
１７７  第２ガイド面
１９５  ロアフィルムの後方部分のうち、左方の突部よりも左方に位置する部分
１９６  ロアフィルムの後方部分のうち、右方の突部よりも右方に位置する部分
Ａ      中心軸線
Ｘ      傾斜方向
【図１】
2015011230.tif 000003
【図２】
2015011230.tif 000004
【図３】
2015011230.tif 000005
【図４】
2015011230.tif 000006
【図５】
2015011230.tif 000007
【図６】
2015011230.tif 000008
【図７】
2015011230.tif 000009
【図８】
2015011230.tif 000010
【図９】
2015011230.tif 000011
【図１０】
2015011230.tif 000012